(57)【要約】      （修正有）【課題】快適性が損なわれることがなく、且つ、省エネ性に優れた外気処理装置を提供する。【解決手段】室外温度（Ｔｏ）、室外湿度（Ｈｏ）、室内温度（Ｔｉ）、室内湿度（Ｈｉ）を取得し、これらの各温度、湿度に基づいて、デシカントロータ８を回転させ冷媒回路９０を運転して第１空気流路を冷却する除湿モード、デシカントロータ８を回転させ冷媒回路９０を運転して第１空気流路を加温する加湿モード、デシカントロータ８を停止し冷媒回路９０を運転して第１空気流路を冷却する冷却モード、デシカントロータ８を停止し冷媒回路９０を運転して第１空気流路を加温する加温モード、デシカントロータ８を高速で回転し冷媒回路９０を停止して第１空気流路と第２空気流路の間で全熱交換を行う全熱交換モード、デシカントロータ８と冷媒回路９０を停止して換気のみを行うパージモード、のいずれかの運転モードに設定する。【選択図】図２
2020115047.tif 000002
【特許請求の範囲】
【請求項１】
室外の空気を室内に供給する第１空気流路と、
室内の空気を室外に排気する第２空気流路と、
前記第１空気流路に導入される空気の温度である室外温度（Ｔｏ）を検出する室外温度検出手段と、
前記第１空気流路に導入される空気の絶対湿度である室外湿度（Ｈｏ）を検出する室外湿度検出手段と、
前記第２空気流路に導入される空気の温度である室内温度（Ｔｉ）を検出する室内温度検出手段と、
前記第２空気流路に導入される空気の絶対湿度である室内湿度（Ｈｉ）を検出する室内湿度検出手段と、
前記第１空気流路と前記第２空気流路とに跨って配置され、前記第１空気流路と前記第２空気流路のうちの、一方の流路を流れる空気の水分を吸着し、他方の流路を流れる空気に水分を放出する回転式の水分吸着手段と、
前記第１空気流路と前記第２空気流路のうちの一方を流れる空気を加温し、他方を流れる空気を冷却する冷媒回路と、
前記室外温度（Ｔｏ）と、前記室外湿度（Ｈｏ）と、前記室内温度（Ｔｉ）と、前記室内湿度（Ｈｉ）とに基づいて、下記（Ａ）〜（Ｆ）に示す各運転モードのうちのいずれか一つを選択して、前記水分吸着手段、及び前記冷媒回路の少なくとも一方を制御する制御手段と、
を備えたこと特徴とする外気処理装置。
（Ａ）前記水分吸着手段を回転させ、前記冷媒回路を運転して、前記第１空気流路を冷却する除湿モード
（Ｂ）前記水分吸着手段を回転させ、前記冷媒回路を運転して、前記第１空気流路を加温する加湿モード
（Ｃ）前記水分吸着手段を停止し、前記冷媒回路を運転して、前記第１空気流路を冷却する冷却モード
（Ｄ）前記水分吸着手段を停止し、前記冷媒回路を運転して、前記第１空気流路を加温する加温モード
（Ｅ）前記水分吸着手段を高速で回転し、前記冷媒回路を停止して、前記第１空気流路と前記第２空気流路の間で全熱交換を行う全熱交換モード
（Ｆ）前記水分吸着手段と前記冷媒回路を停止して換気のみを行うパージモード
【請求項２】
前記室外温度（Ｔｏ）と前記室外湿度（Ｈｏ）との関係に基づいて、暫定的に設定する運転モードである仮運転モードを予め複数記憶する記憶部、を更に備え、
前記制御手段は、前記室外温度（Ｔｏ）、及び前記室外湿度（Ｈｏ）が取得された際に、これらの関係に基づいて前記複数の仮運転モードから一の仮運転モードを設定し、前記一の仮運転モードと、前記室内温度（Ｔｉ）、及び前記室内湿度（Ｈｉ）に基づいて、前記（Ａ）〜（Ｆ）の運転モードのうちのいずれか一つを選択すること
を特徴とする請求項１に記載の外気処理装置。
【請求項３】
前記仮運転モードは、
前記室外湿度（Ｈｏ）が、所定の第１の基準室外湿度（ｈ１ｏ）よりも低い場合に設定される第１の仮全熱交換モード（ｐ１）と、
前記第１の基準室外湿度（ｈ１ｏ）よりも高い第４の基準室外湿度（ｈ４ｏ）を設定し、前記第４の基準室外湿度（ｈ４ｏ）よりも高い場合に設定される第２の仮全熱交換モード（ｐ７）と、
前記第１の基準室外湿度（ｈ１ｏ）よりも高く、且つ、前記第４の基準室外湿度（ｈ４ｏ）よりも低い第３の基準室外湿度（ｈ３ｏ）を設定し、前記室外湿度（Ｈｏ）が、前記第３の基準室外湿度（ｈ３ｏ）よりも高く、前記第４の基準室外湿度（ｈ４ｏ）よりも低い場合に設定される仮除湿モード（ｐ６）と、を有すること
を特徴とする請求項２に記載の外気処理装置。
【請求項４】
前記仮運転モードは、
前記室外湿度（Ｈｏ）が前記第１の基準室外湿度（ｈ１ｏ）と、前記第３の基準室外湿度（ｈ３ｏ）との間である場合で、前記室外温度（Ｔｏ）が所定の第３の基準室外温度（ｔ３ｏ）よりも高い場合に設定される仮冷却モード（ｐ３）、を有すること
を特徴とする請求項３に記載の外気処理装置。
【請求項５】
前記第１の基準室外湿度（ｈ１ｏ）よりも高く、且つ前記第３の基準室外湿度（ｈ３ｏ）よりも低い第２の基準室外湿度（ｈ２ｏ）を設定し、前記室外湿度（Ｈｏ）が、前記第１の基準室外湿度（ｈ１ｏ）よりも高く、前記第２の基準室外湿度（ｈ２ｏ）よりも低い場合で、且つ前記室外温度（Ｔｏ）が前記第３の基準室外温度（ｔ３ｏ）よりも低い場合に設定される仮加湿モード（ｐ２）、を有すること
を特徴とする請求項４に記載の外気処理装置。
【請求項６】
前記第３の基準室外温度（ｔ３ｏ）よりも低い第２の基準室外温度（ｔ２ｏ）を設定し、
前記室外湿度（Ｈｏ）が、前記第２の基準室外湿度（ｈ２ｏ）よりも高く、前記第３の基準室外湿度（ｈ３ｏ）よりも低く、且つ、前記室外温度（Ｔｏ）が前記第２の基準室外温度（ｔ２ｏ）よりも高く、前記第３の基準室外温度（ｔ３ｏ）よりも低い場合に設定される仮パージモード（ｐ５）、を有すること
を特徴とする請求項５に記載の外気処理装置。
【請求項７】
前記第３の基準室外温度（ｔ３ｏ）よりも低い第２の基準室外温度（ｔ２ｏ）を設定し、
前記室外湿度（Ｈｏ）が、前記第２の基準室外湿度（ｈ２ｏ）よりも高く、前記第３の基準室外湿度（ｈ３ｏ）よりも低く、且つ、前記室外温度（Ｔｏ）が前記第２の基準室外温度（ｔ２ｏ）よりも低い場合に設定される仮加温モード（ｐ４）、を有すること
を特徴とする請求項５または６に記載の外気処理装置。
【請求項８】
前記第１の仮全熱交換モードが設定された場合において、
前記制御手段は、
前記室内温度（Ｔｉ）が、
所定の第３の基準室内温度（ｔ３ｉ）よりも高い場合に、前記運転モードを前記パージモードに設定し、
前記第３の基準室内温度（ｔ３ｉ）よりも低い第２の基準室内温度（ｔ２ｉ）を設定し、前記室内温度（Ｔｉ）が、前記第２の基準室内温度（ｔ２ｉ）よりも高く、前記第３の基準室内温度（ｔ３ｉ）よりも低く、且つ、前記室内湿度（Ｈｉ）が、所定の第１の湿度閾値（ｈｒ１）よりも高い場合に、前記運転モードを前記全熱交換モードに設定し、
前記第１の湿度閾値（ｈｒ１）を、前記室外湿度（Ｈｏ）に応じて変化させること
を特徴とする請求項３に記載の外気処理装置。
【請求項９】
前記第２の仮全熱交換モードが設定された場合において、
前記制御手段は、
前記室内温度（Ｔｉ）が、所定の第３の基準室内温度（ｔ３ｉ）よりも高い場合、或いは、室内湿度（Ｈｉ）が所定の第２の湿度閾値（ｈｒ２）よりも高い場合に、前記運転モードを前記除湿モードに設定し、
前記室内温度（Ｔｉ）が、前記第３の基準室内温度（ｔ３ｉ）よりも低く、且つ、前記室内湿度（Ｈｉ）が前記第２の湿度閾値（ｈｒ２）よりも低い場合に、前記運転モードを前記全熱交換モードに設定し、
前記第２の湿度閾値（ｈｒ２）を、前記室外湿度（Ｈｏ）に応じて変化させること
を特徴とする請求項３に記載の外気処理装置。
【請求項１０】
前記仮パージモードが設定された場合において、
前記制御手段は、
前記室内温度（Ｔｉ）が、所定の第３の基準室内温度（ｔ３ｉ）よりも高い場合に、前記運転モードを前記冷却モードに設定し、
前記室内温度（Ｔｉ）が、前記第３の基準室内温度（ｔ３ｉ）よりも低い場合に、前記運転モードを前記パージモードに設定すること
を特徴とする請求項６に記載の外気処理装置。
【発明の詳細な説明】
【技術分野】
【０００１】
本発明は、対象となる部屋の室内の湿度、温度を調節する外気処理装置に関する。
【背景技術】
【０００２】
近年の住宅では、気密性が高まるにつれて一日２４時間に亘って室内と室外との間で換気を行う２４時間換気装置が採用されるようになっている。２４時間換気装置は、居住者の快適性を向上させるという観点から、加温機能、冷却機能に加えて、除湿機能及び加湿機能を有するものが望まれている。
【０００３】
特許文献１には、冷媒回路を備える外気処理装置(外調機)であって、室外空気の温度及び湿度をセンサにて検出し、検出した外気温度及び外気湿度に応じて、除湿換気モード、加湿換気モード、換気モードを切り替えて室内の快適性を高めることが開示されている。
【先行技術文献】
【特許文献】
【０００４】
【特許文献１】特開２０１２−８３０８６号公報
【発明の概要】
【発明が解決しようとする課題】
【０００５】
しかしながら、特許文献１に開示された従来技術では、空気線図を参照し、室外空気の温度と絶対湿度との関係から、空気調和装置の運転モードを設定しており、室内空気の温度、絶対湿度を考慮したものではない。このため、室内に設置される空調機において、室内空調を行う際に快適性が損なわれることや、消費電力が高まる等の問題が発生する可能性がある。
【０００６】
本発明は、上記の問題を解決するためになされたものであり、その目的とするところは、快適性が損なわれることがなく、且つ、省エネ性に優れた外気処理装置を提供することにある。
【課題を解決するための手段】
【０００７】
上記目的を達成するため、本願発明は、室外の空気を室内に供給する第１空気流路と、室内の空気を室外に排気する第２空気流路と、前記第１空気流路に導入される空気の温度である室外温度（Ｔｏ）を検出する室外温度検出手段と、前記第１空気流路に導入される空気の絶対湿度である室外湿度（Ｈｏ）を検出する室外湿度検出手段と、前記第２空気流路に導入される空気の温度である室内温度（Ｔｉ）を検出する室内温度検出手段と、前記第２空気流路に導入される空気の絶対湿度である室内湿度（Ｈｉ）を検出する室内湿度検出手段と、前記第１空気流路と前記第２空気流路とに跨って配置され、前記第１空気流路と前記第２空気流路のうちの、一方の流路を流れる空気の水分を吸着し、他方の流路を流れる空気に水分を放出する回転式の水分吸着手段と、前記第１空気流路と前記第２空気流路のうちの一方を流れる空気を加温し、他方を流れる空気を冷却する冷媒回路と、前記室外温度（Ｔｏ）と、前記室外湿度（Ｈｏ）と、前記室内温度（Ｔｉ）と、前記室内湿度（Ｈｉ）とに基づいて、（Ａ）前記水分吸着手段を回転させ、前記冷媒回路を運転して、前記第１空気流路を冷却する除湿モード、（Ｂ）前記水分吸着手段を回転させ、前記冷媒回路を運転して、前記第１空気流路を加温する加湿モード、（Ｃ）前記水分吸着手段を停止し、前記冷媒回路を運転して、前記第１空気流路を冷却する冷却モード、（Ｄ）前記水分吸着手段を停止し、前記冷媒回路を運転して、前記第１空気流路を加温する加温モード、（Ｅ）前記水分吸着手段を高速で回転し、前記冷媒回路を停止して、前記第１空気流路と前記第２空気流路の間で全熱交換を行う全熱交換モード、（Ｆ）前記水分吸着手段と前記冷媒回路を停止して換気のみを行うパージモード、の各運転モードのうちのいずれか一つを選択して、前記水分吸着手段、及び前記冷媒回路の少なくとも一方を制御する制御手段と、を備えたこと特徴とする。
【発明の効果】
【０００８】
本発明によれば、快適性が損なわれることがなく、且つ、省エネ性に優れた外気処理装置を提供することが可能となる。
【図面の簡単な説明】
【０００９】
【図１】図１は、本発明の実施形態に係る外気処理装置の、空気の流れを概略的に示すフロー図である。
【図２】図２は、本発明の実施形態に係る外気処理装置に搭載される冷媒回路の構成を示す説明図である。
【図３】図３は、本発明の実施形態に係る外気処理装置に設けられる主制御部、及びその周辺機器の構成を示すブロック図である。
【図４】図４は、冷媒回路を除湿モード、或いは冷却モードとしたときの冷媒の流れを示す説明図である。
【図５】図５は、冷媒回路を加湿モード、或いは加温モードとしたときの冷媒の流れを示す説明図である。
【図６】図６は、各運転モードにおける、モータの動作、圧縮機の動作、四方弁の切り替え、ＥＡファンの動作、ＳＡファンの動作を示す説明図である。
【図７】図７は、室外温度と室外湿度の空気線図であり、仮運転モードの領域を示す説明図である。
【図８】図８は、室内温度と室内湿度の空気線図であり、仮低湿全熱交換モードｐ１が設定されているときの、実運転モードの領域を示す説明図である。
【図９】図９は、室内温度と室内湿度の空気線図であり、仮加湿モードｐ２が設定されているときの、実運転モードの領域を示す説明図である。
【図１０】図１０は、室内温度と室内湿度の空気線図であり、仮冷却モードｐ３が設定されているときの、実運転モードの領域を示す説明図である。
【図１１】図１１は、室内温度と室内湿度の空気線図であり、仮加温モードｐ４が設定されているときの、実運転モードの領域を示す説明図である。
【図１２】図１２は、室内温度と室内湿度の空気線図であり、仮パージモードｐ５が設定されているときの、実運転モードの領域を示す説明図である。
【図１３】図１３は、室内温度と室内湿度の空気線図であり、仮除湿モードｐ６が設定されているときの、実運転モードの領域を示す説明図である。
【図１４】図１４は、室内温度と室内湿度の空気線図であり、仮高湿全熱交換モードｐ７が設定されているときの、実運転モードの領域を示す説明図である。
【図１５】図１５は、本発明の実施形態に係る外気処理装置において、仮運転モードを設定する処理を示すフローチャートである。
【図１６】図１６は、仮低湿全熱交換モードｐ１が設定されているときの、実運転モードを設定する処理を示すフローチャートである。
【図１７】図１７は、仮加湿モードｐ２が設定されているときの、実運転モードを設定する処理を示すフローチャートである。
【図１８】図１８は、仮冷却モードｐ３が設定されているときの、実運転モードを設定する処理を示すフローチャートである。
【図１９】図１９は、仮加温モードｐ４が設定されているときの、実運転モードを設定する処理を示すフローチャートである。
【図２０】図２０は、仮パージモードｐ５が設定されているときの、実運転モードを設定する処理を示すフローチャートである。
【図２１】図２１は、仮除湿モードｐ６が設定されているときの、実運転モードを設定する処理を示すフローチャートである。
【図２２】図２２は、仮高湿全熱交換モードｐ７が設定されているときの、実運転モードを設定する処理を示すフローチャートである。
【発明を実施するための形態】
【００１０】
以下、本発明の実施形態を図面を参照して説明する。
［外気処理装置の空気流路の説明］ 
図１は本発明の実施形態に係る外気処理装置１００の空気の流れを概略的に示すフロー図である。図１に示すように、この外気処理装置１００は、空調制御の対象となる室内に対して、室外から室内に向かう第１空気流路１２と、室内から室外に向かう第２空気流路１３を備えている。
【００１１】
第１空気流路１２は、その下流側に設けられるＳＡ（Supply Air）ファン１０により、室外空気（ＯＡ；Out Air）を室内に供給するための流路であり、第１熱交換器５、回転式のデシカントロータ８（水分吸着手段）、第２熱交換器７、及びＳＡファン１０を経由して、室外空気を室内に供給する。デシカントロータ８は、第１空気流路１２と第２空気流路１３に跨って配置され、後述するモータ２０（図３参照）の駆動力により回転し、相互の空気流路（１２、１３）の湿度を交換する。
【００１２】
第２空気流路１３は、その下流側に設けられるＥＡ（Exhaust Air）ファン９により、室内空気（ＲＡ；Return Air）を室外に排出するための流路であり、第３熱交換器４、デシカントロータ８、第４熱交換器６、及びＥＡファン９を経由して室内空気を室外に排出する。
なお、以下では、第１空気流路１２に流入する空気（即ち、室外空気）を「ＯＡ」、第１空気流路１２から放出されて室内に供給される空気（即ち、供給空気）を「ＳＡ」、第２空気流路１３に流入する室内の空気（即ち、室内空気）を「ＲＡ」、第２空気流路１３から放出されて外部に排出される空気（即ち、排出空気）を「ＥＡ」として示す。
【００１３】
［デシカントロータの説明］
次に、図１に示したデシカントロータ８について説明する。デシカントロータ８は、回転式（ロータリ式）デシカントであり、モータ２０（図３参照）により回転駆動が可能である。デシカントロータ８を回転させることにより、第１空気流路１２及び第２空気流路１３を流れる空気中の顕熱と潜熱を交換することができる。モータ２０を通常の速度で回転させると、通常のロータリ式デシカントとして機能する。他方、モータ２０を高速（例えば、通常時の１０倍の回転数）で回転させると、全熱交換器と同等の機能で作動する。
即ち、デシカントロータ８は、通常の回転数で駆動させることにより、空気中の水分（湿度）を主に交換し、高速で回転させることにより、潜熱と顕熱の両方の全熱交換が可能となる。
【００１４】
［冷媒回路の説明］
図２は、本実施形態に係る外気処理装置１００に搭載される冷媒回路の構成を示す説明図である。以下、図２を参照して、本実施形態に係る外気処理装置１００内に設けられた冷媒回路９０の構成について説明する。なお、説明の便宜上、図２では図１に示した第１空気流路１２を図中下段に記載し、更に、第２空気流路１３の流路方向を右から左の方向として図中上段に記載している。
【００１５】
図２に示すように、本実施形態に係わる外気処理装置１００は、ヒートポンプ装置であり、冷媒を循環させる冷媒回路９０と、デシカントロータ８と、ＳＡファン１０と、ＥＡファン９と、を備えている。
【００１６】
冷媒回路９０は、冷媒を圧縮して出力する圧縮機１と、該圧縮機１の前段に設けられ圧縮機１に供給する冷媒を一時的に蓄積するアキュムレータ２と、圧縮機１より送出される圧縮冷媒を第１空気流路１２側、或いは第２空気流路１３側のいずれかの熱交換器に出力するように切り換える四方弁３、を備えている。
【００１７】
更に、冷媒回路９０は、第１空気流路１２のデシカントロータ８の上流側に設けられる第１熱交換器５と、デシカントロータ８の下流側に設けられる第２熱交換器７と、第２空気流路１３のデシカントロータ８の上流側に設けられる第３熱交換器４と、デシカントロータ８の下流側に設けられる第４熱交換器６と、を備えている。
【００１８】
また、冷媒回路９０は、第１膨張弁１８、第２膨張弁１９、第１空気流路１２を流れる空気の温度を検出する室外温度センサ２３（室外温度検出手段）と、第１空気流路１２を流れる空気の絶対湿度を検出する室外湿度センサ２４（室外湿度検出手段）を備える。この室外温度センサ２３及び室外湿度センサ２４は、第１熱交換器５の手前、即ち、外気の導入側に配置されている。従って、各センサ２３、２４により、室外から外気処理装置１００に導入される空気の温度及び絶対湿度をそれぞれ検出することができる。
【００１９】
更に、冷媒回路９０は、第２空気流路１３を流れる空気の温度を検出する室内温度センサ２５（室内温度検出手段）と、第２空気流路１３を流れる空気の絶対湿度を検出する室内湿度センサ２６（室内湿度検出手段）を備える。これらの室内温度センサ２５及び室内湿度センサ２６は、第３熱交換器４の入口側に配置されている。従って、各センサ２５、２６により、室内から外気処理装置１００に入る空気温度と絶対湿度をそれぞれ検出することができる。
【００２０】
第１膨張弁１８は、第１熱交換器５と第３熱交換器４を接続する配管の経路に設けられ、各熱交換器５、４の間を流れる冷媒の圧力を下げながら冷媒流量を調整する。
第２膨張弁１９は、第２熱交換器７と第４熱交換器６を接続する配管の経路に設けられ、各熱交換器７、６の間を流れる冷媒の圧力を下げながら冷媒流量を調整する。なお、第１膨張弁１８、及び第２膨張弁１９の冷媒の流れ方向は、どちらの方向でも調整可能とされている。
【００２１】
更に、外気処理装置１００は、該外気処理装置１００の処理を制御する主制御部３１（制御手段）を備えている。主制御部３１は、前述した各センサ２３、２４、２５、２６の検出信号（即ち、室外温度Ｔｏ、室外湿度Ｈｏ、室内温度Ｔｉ、室内湿度Ｈｉ）を取得し、取得した検出信号に基づいて、各種の運転モード（詳細は後述）を設定して、圧縮機１、四方弁３、第１膨張弁１８、第２膨張弁１９を制御する。また、主制御部３１は、図１に示したＥＡファン９、ＳＡファン１０の駆動、停止、デシカントロータ８を回転させるモータ２０の駆動、停止、及びモータ２０の通常回転及び高速回転を制御する。
【００２２】
［主制御部の説明］
図３は、本実施形態に係る外気処理装置１００に設けられる主制御部３１、及びその周辺機器の構成を示すブロック図である。主制御部３１は、例えば、中央演算ユニット（ＣＰＵ）や、ＲＡＭ、ＲＯＭ、ハードデスク等の記憶手段からなる一体型のコンピュータとして構成することができる。
【００２３】
図３に示すように、主制御部３１は、各センサ２３、２４、２５、２６で検出される検出信号を入力するセンサ入力部３１ａと、ＥＡファン９、ＳＡファン１０、モータ２０、四方弁３、圧縮機１の駆動・停止を制御し、且つ、第１膨張弁１８及び第２膨張弁１９の開度を制御する操作部３１ｂと、を備えている。そして、前述したように、各センサ２３、２４、２５、２６で検出される検出信号（室外温度Ｔｏ、室外湿度Ｈｏ、室内温度Ｔｉ、室内湿度Ｈｉ）に基づいて、各種の運転モード（後述する実運転モード）を設定する。更に、設定した運転モードに応じて、圧縮機１、四方弁３、第１膨張弁１８、第２膨張弁１９の作動を制御する。
【００２４】
主制御部３１はまた、室内温度センサ２５で検出される室内温度Ｔｉと室内湿度センサ２６で検出された室内湿度Ｈｉ（絶対湿度）に基づいて、室内の相対湿度Ｈｒを算出する処理を実行する。
主制御部３１は更に、記憶部３１ｃを備えている。記憶部３１ｃは、主制御部３１において実行される制御に用いられる各種のデータを記憶する。例えば、各センサ２３、２４、２５、２６で検出される温度データ、湿度データを一時的に記憶する。また、記憶部３１ｃには、後述する図７〜図１４に示す如くの空気線図と各運転モード（仮運転モード、実運転モード）との関係が記憶されている。
【００２５】
［各運転モードの説明］
本実施形態に係る外気処理装置１００は、パージモード（符号ｑ１で示す）、除湿モード（符号ｑ２で示す）、加湿モード（符号ｑ３で示す）、冷却モード（符号ｑ４で示す）、加温モード（符号ｑ５で示す）、全熱交換モード（符号ｑ６で示す）、の６通りの運転モードのうちの、いずれか１つに設定して運転することができる。以下、各運転モードについて詳細に説明する。
【００２６】
［パージモードｑ１］
パージモードｑ１は、対象となる室内の空気を排気して、室外空気（ＯＡ）を室内に取り入れるモードである。従って、パージモードｑ１では、モータ２０を停止させデシカントロータ８を回転させない。更に、冷媒回路９０を停止させる。ＥＡファン９、及びＳＡファン１０のみを作動させて、排気と給気を行う。パージモードｑ１は、換気装置として除湿、加湿、冷却、加温のいずれの必要もなく、室内の換気のみが必要とされる場合の運転モード、即ち、主に運転を開始して暫く時間が経過した期間である中間期における運転モードである。また、デシカントロータ８、及び冷媒回路９０を停止させるので、消費電力を著しく低減できる。
【００２７】
［除湿モードｑ２］
除湿モードｑ２は、室外空気（ＯＡ）を除湿して室内に供給するモードである。即ち、除湿モードｑ２は、室外空気（ＯＡ）を第１空気流路１２内にて、第１熱交換器５、デシカントロータ８、第２熱交換器７の順に通過させ、室外空気（ＯＡ）の湿度を低下させ、ＳＡファン１０にて湿度が低下した供給空気（ＳＡ）を室内に供給する。更に、第２空気流路１３により、室内空気（ＲＡ）を、第３熱交換器４、デシカントロータ８、第４熱交換器６の順に通過させ、冷媒回路９０の動作により発生する排熱を排出空気（ＥＡ）に含ませて排出する。更に、除湿モードｑ２ではデシカントロータ８を通常の速度で回転させ、第１空気流路１２を流れる空気中の水分を、第２空気流路１３を流れる空気へ移動させて排出する。
【００２８】
このときの冷媒回路９０の詳細な動作状態を、図４を参照して説明する。図４は、除湿モードｑ２及び後述する冷却モードｑ４での、冷媒回路９０の冷媒の流れを示すフロー図である。除湿モードｑ２において、第１空気流路１２内の第１熱交換器５及び第２熱交換器７は蒸発器となり、冷媒が蒸発して空気温度を低下させ、各熱交換器５、７にて結露を起こし湿度を低下させる。第２空気流路１３の第３熱交換器４及び第４熱交換器６は、凝縮器となり第１空気流路１２より奪った熱量を排出する。
【００２９】
詳細に説明すると、主制御部３１の制御により、四方弁３は、図４の矢印に示すように、圧縮機１の吐出側が第３熱交換器４及び第４熱交換器６に向かう配管に接続される。即ち、圧縮機１より出力される冷媒は２系統に分岐され、一方の分岐路は第３熱交換器４に導入され、他方の分岐路は第４熱交換器６に導入される。
【００３０】
除湿モードｑ２では、圧縮機１より出力される圧縮冷媒は、高温高圧である。従って、凝縮器として作用する第３熱交換器４及び第４熱交換器６に圧縮冷媒が導入されることにより、圧縮冷媒と第２空気流路１３を通過する空気との間で熱交換が行われる。このため、第２空気流路１３を流れる空気の温度が上昇する。熱交換器４、６より出力される冷媒は、高圧の液冷媒となる。その後、第３熱交換器４より出力される冷媒は、第１膨張弁１８を通過することにより減圧されて膨張し、低温低圧の気液混合冷媒となる。この冷媒は、第１熱交換器５に導入される。
【００３１】
第４熱交換器６より出力される冷媒についても同様に、第２膨張弁１９を通過することにより減圧されて膨張し、低温低圧の気液混合冷媒となり、第２熱交換器７に導入される。
【００３２】
第１熱交換器５に導入された冷媒は、蒸発を伴って、室外より導入されて第１空気流路１２を流れる空気の温度（デシカントロータ８の上流の空気温度）を低下させ、気体に相変化する。第１熱交換器５より出力された冷媒は、四方弁３を経由してアキュムレータ２に戻される。このとき第１空気流路１２を流れる空気（即ち、室外空気（ＯＡ））は、冷媒の蒸発により温度が低下する。また、結露が発生した場合は、空気中の湿度が低下する。
【００３３】
一方、第２熱交換器７に導入された冷媒は、蒸発を伴って第１空気流路１２のデシカントロータ８を通過した空気の温度（デシカントロータ８の下流側の空気温度）を低下させ、気体に相変化する。第２熱交換器７から放出された冷媒は、第１熱交換器５から放出された冷媒と合流し、四方弁３とアキュムレータ２を経由して圧縮機１に戻される。このとき第１空気流路１２を流れる空気は、冷媒の蒸発により温度が低下する。また、結露が発生した場合は、空気中の湿度が低下する。
【００３４】
即ち、除湿モードでは、圧縮機１より出力される冷媒を、第３熱交換器４、第１膨張弁１８、第１熱交換器５を経由して圧縮機１に戻る流路と、第４熱交換器６、第２膨張弁１９、第２熱交換器７を経由して圧縮機１に戻る流路の、並行した２つの流路が形成される。
【００３５】
更に、第１空気流路１２の経路上のデシカントロータ８では、第１熱交換器５により温度が低下した空気、即ち相対湿度が上昇した空気が、デシカントロータ８のエレメントに保持された吸着剤により水分が吸着され、空気中の水分量が低下する。このときデシカントロータ８の吸着剤は吸湿作用により発熱反応を起こし、空気を加温する。この空気の温度は、デシカントロータ８の下流側に配置された第２熱交換器７により再度低下する。その後、ＳＡファン１０により室内に供給される。
【００３６】
第２空気流路１３の経路上のデシカントロータ８では、第３熱交換器４により温度が上昇した空気、即ち、相対湿度が低下した空気が通過することにより、該空気中に、デシカントロータ８のエレメントに保持された吸着剤より水分が放出され、空気中の水分が上昇する。このときデシカントロータ８の吸着剤は放湿作用により吸熱反応を起こし、空気を冷却する。しかし、この空気の温度はデシカントロータ８の下流に配置された第４熱交換器６を通過することにより再度上昇し、その後、ＥＡファン９により室外に排気される。
【００３７】
上記のように、本実施形態における除湿モードｑ２では、冷媒回路９０の作用とデシカントロータ８の作用によって、第１空気流路１２は、室外空気（ＯＡ）の潜熱、及び顕熱を低下させた空気を室内に供給することができる。
【００３８】
［加湿モードｑ３の説明］
加湿モードｑ３は、室外空気（ＯＡ）を加湿して室内に供給するモードである。即ち、加湿モードｑ３は、室外空気（ＯＡ）を第１空気流路１２にて、第１熱交換器５、デシカントロータ８、第２熱交換器７の順に通過させ、室外空気（ＯＡ）の湿度を上昇させる。その後、湿度が上昇した空気を供給空気（ＳＡ）としてＳＡファン１０により室内に供給する。
【００３９】
更に、第２空気流路１３により、室内空気（ＲＡ）を、第３熱交換器４、デシカントロータ８、第４熱交換器６の順に通過させ、冷媒回路９０の動作により発生する冷熱を室内空気（ＲＡ）に含ませて排出する。
更に、加湿モードｑ３では、デシカントロータ８を通常の回転速度で回転させ、第２空気流路１３を流れる空気の水分を、第１空気流路１２を流れる空気へ移動させて、室内に供給する。
【００４０】
このときの冷媒回路９０の詳細な動作状態を、図５を参照して説明する。図５は、加湿モードｑ３及び後述する加温モードｑ５での、冷媒回路９０における冷媒の流れを示すフロー図である。加湿モード時において、第１空気流路１２内の第１熱交換器５及び第２熱交換器７は凝縮器となり、冷媒が凝縮して空気温度を上昇させる。第２空気流路１３の第３熱交換器４及び第４熱交換器６は、第１空気流路１２へ熱量を移動させるため蒸発器となり、吸熱して空気温度を低下させる。
【００４１】
詳細に説明すると、主制御部３１の制御により、四方弁３は、図５の矢印に示すように圧縮機１の吐出側が第１熱交換器５及び第２熱交換器７に向かう配管に接続される。即ち、圧縮機１により出力される冷媒は２系統に分岐され、一方の分岐路は第１熱交換器５に導入され、他方の分岐路は第２熱交換器７に導入される。
【００４２】
加湿モードｑ３において、高温高圧の冷媒を凝縮器として作用する第１熱交換器５及び第２熱交換器７に導入するので、第１空気流路１２を通過する空気は加温される。その後、第１熱交換器５より出力される冷媒は、第１膨張弁１８を通過することにより減圧されて膨張し、低温低圧の気液混合冷媒となる。この冷媒は、第３熱交換器４に導入される。第２熱交換器７より出力される冷媒についても同様に、第２膨張弁１９を通過することにより減圧されて膨張し、低温低圧の気液混合冷媒となり、第４熱交換器６に導入される。
【００４３】
第３熱交換器４に導入された冷媒は蒸発を伴って、室内より戻された第２空気流路１３を流れる室内空気（ＲＡ）の温度（デシカントロータ８の上流側の空気温度）を低下させ、気体に相変化する。第３熱交換器４より出力される冷媒は、四方弁３を経由してアキュムレータ２に戻される。このとき第２空気流路１３を流れる空気は、冷媒の蒸発により温度が低下する。
【００４４】
一方、第４熱交換器６に導入された冷媒は、蒸発を伴って第２空気流路１３のデシカントロータ８を通過した空気の温度を（デシカントロータ８の下流側の空気温度）を低下させ、気体に相変化する。第４熱交換器６より出力された冷媒は、第３熱交換器４より出力された冷媒と合流し、四方弁３とアキュムレータ２を経由して圧縮機１に戻される。このとき、第２空気流路１３を流れる空気は冷媒の蒸発により温度が低下する。
【００４５】
即ち、加湿モードｑ３では、圧縮機１より出力される冷媒を、第１熱交換器５、第１膨張弁１８、第３熱交換器４を経由して圧縮機１に戻る流路と、第２熱交換器７、第２膨張弁１９、第４熱交換器６を経由して圧縮機１に戻る流路の、並行した２つの流路が形成される。
【００４６】
更に、第２空気流路１３の経路上のデシカントロータ８では、第３熱交換器４により温度が低下した空気、即ち相対湿度が上昇した空気が、デシカントロータ８のエレメントに保持された吸着剤により水分が吸着され、空気中の水分が低下する。このときデシカントロータ８の吸着剤は吸湿作用により発熱反応を起こし、空気を加温する。しかし、この空気はデシカントロータ８の下流側に配置された第４熱交換器６により再度温度が低下する。そして、ＥＡファン９により室外に排気される。
【００４７】
第１空気流路１２の経路上のデシカントロータ８では、第１熱交換器５により温度が上昇した空気、即ち、相対湿度が低下した空気が、デシカントロータ８のエレメントに保持された吸着剤により水分が放出され、空気中の水分が上昇する。このとき、デシカントロータ８の吸着剤は放湿作用により吸熱反応を起こし、空気を冷却する。しかし、この空気はデシカントロータ８の下流側に配置された第２熱交換器７により再度温度が上昇する。そして、ＳＡファン１０により室内に供給される。
【００４８】
以上のように、本実施形態の加湿モードｑ３では、第１空気流路１２は、冷媒回路９０の作用と、デシカントロータ８の作用により、通風空気の湿度が上昇した空気を室内に供給することが可能である。
【００４９】
［冷却モードｑ４］
冷却モードｑ４は、冷媒回路９０を作動させ、空気温度を低下させて室内に供給するモードである。即ち、室外空気が高温でそのまま室内に供給すると、室内の空調機の負荷が増大するので、冷却モードｑ４では冷媒回路９０を作動させ、空気温度を低下させて室内に供給する。
【００５０】
冷媒回路９０の動作は、前述した除湿モードと同一である。即ち、第１空気流路１２の第１熱交換器５及び第２熱交換器７は蒸発器として機能し、室外空気（ＯＡ）を冷却して温度を低下させる。第２空気流路１３の第３熱交換器４及び第４熱交換器６は凝縮器として機能し、冷媒回路９０により、室内空気（ＲＡ）中の熱を排出する。従って、冷媒回路９０の冷媒の流れは、前述した図４のフロー図と同様である。
【００５１】
但し、冷却モードではデシカントロータ８を回転させず、水分の交換は行わない。即ち、冷却モードｑ４では、第１空気流路１２の蒸発器として機能する熱交換器の結露による除湿を除き、空気中の温度を低下させる処理のみが行われる。
【００５２】
［加温モードｑ５］
加温モードｑ５は、冷媒回路９０を作動させて空気温度を上昇させ、室内に供給する運転モードである。即ち、室外空気が低温であり、そのまま室内に供給すると、室内の空調機の負荷が増大するので、冷媒回路９０を作動させて空気温度を上昇させて室内に供給する。
【００５３】
冷媒回路９０の動作は、前述した加湿モードと同様である。即ち、第１空気流路１２の第１熱交換器５及び第２熱交換器７は凝縮器として機能し、室外空気（ＯＡ）を加温して温度を上昇させる。第２空気流路１３の第３熱交換器４及び第４熱交換器６は蒸発器として機能し、冷媒回路９０により、室内空気（ＲＡ）中の熱を回収して排気する。従って、冷媒回路９０の冷媒の流れは、図５に示したフロー図と同様である。
但し、加温モードではデシカントロータ８を回転させず、水分の交換は行わない。即ち、加温モードでは、第１空気流路１２を流れる空気の温度を上昇させる処理のみが行われる。
【００５４】
［全熱交換モードｑ６］
室外空気の湿度が極めて高い場合、或いは極めて低い場合には、本実施形態に係る外気処理装置１００のように、冷媒回路９０とデシカントロータ８を組み合わせた構成を有する場合に、運転モードを除湿モードｑ２や加湿モードｑ３とすると、冷媒回路９０の効率が低下してしまう場合がある。これとは反対に、全熱交換器は、相互の湿度差が大きいほど湿度交換量が多くなる特性を持つ。そこで、そのような高湿度、或いは低湿度の場合には、運転モードを全熱交換モードｑ６に設定する。
【００５５】
更に、室内の温度、湿度が目標とする数値となったときに省エネ性を高めるため、全熱交換モードｑ６を実施する。即ち、全熱交換モードｑ６では、他の運転モードと対比して冷媒回路９０を停止するため、エネルギーの消費を低減（所謂、省エネ）することができる。
【００５６】
全熱交換モードｑ６は、全熱交換器により室内と室外で顕熱と潜熱を交換して、換気を行う機能となる運転モードである。即ち、本実施形態に係る外気処理装置１００では、全熱交換器は具備していないが、デシカントロータ８を高速に回転させることにより、全熱交換器と同様の機能を得ることができる。高速でデシカントロータ８を回転させることにより、吸着剤により水分の交換だけでなく、デシカントロータ８が、顕熱の蓄熱と放熱を繰り返すことにより、空気中の顕熱交換が可能になる。
【００５７】
即ち、全熱交換モードｑ６において、主制御部３１は、冷媒回路９０を停止する。更に、主制御部３１は、デシカントロータ８のモータ２０を高速に回転させる。
上述した各運転モード（ｑ１〜ｑ６）におけるモータ２０の作動、圧縮機１の作動、四方弁の切り替え状態、ＥＡファン９の作動、ＳＡファン１０の作動を纏めると、図６に示すようになる。
【００５８】
［各運転モードの切り替え制御の説明］
上述した各運転モードｑ１〜ｑ６は、第１空気流路１２に設置された室外温度センサ２３、及び室外湿度センサ２４で検出される検出信号（即ち、室外温度Ｔｏ、室外湿度Ｈｏ）と、第２空気流路１３に設置された室内温度センサ２５、及び室内湿度センサ２６で検出される検出信号（即ち、室内温度Ｔｉ、室内湿度Ｈｉ）により決定される。
【００５９】
具体的に、まず上記した室外温度Ｔｏ及び室外湿度Ｈｏに基づいて仮運転モード（詳細は後述）を設定する。次いで、設定された仮運転モードと、室内温度Ｔｉ、及び室内湿度Ｈｉに基づいて、実際の運転モードを決定する。なお、以下では実際の運転モードと後述する仮運転モードとを区別するために、実際の運転モードを「実運転モード」ということにする。以下、仮運転モードの設定方法、及び実運転モードの具体的な設定方法について説明する。
【００６０】
［仮運転モードの設定］
図７は、横軸を室外温度［℃］、縦軸を室外湿度（絶対湿度［ｋｇ／ｋｇ］）とした空気線図であり、仮運転モードを設定する領域を示している。
本実施形態では、先に仮運転モードを設定し、その後、設定した仮運転モードに基づいて後述する処理により、実運転モードを設定する。「仮運転モード」とは、室外温度（Ｔｏ）、及び室外湿度（Ｈｏ）に基づいて設定する暫定的な運転モードであり、後述する実運転モード（実際に適用する運転モード）を決めるための前段階として設定する。
【００６１】
以下、仮運転モードを設定する手順について詳細に説明する。なお、以下では特に言及しない限り「湿度」は全て「絶対湿度」であるものとする。
図３に示す主制御部３１のセンサ入力部３１ａは、第１空気流路１２に配置され室外温度センサ２３より室外温度Ｔｏを取得し、更に、室外湿度センサ２４より室外湿度Ｈｏを取得し、これらを主制御部３１の記憶部３１ｃに記憶する。
【００６２】
また、記憶部３１ｃには、室外温度Ｔｏの基準となる第１の基準室外温度ｔ１ｏ、第２の基準室外温度ｔ２ｏ、第３の基準室外温度ｔ３ｏが設定されている。更に、室内温度Ｔｉの基準となる第１の基準室内温度ｔ１ｉ、第２の基準室内温度ｔ２ｉ、第３の基準室内温度ｔ３ｉが設定されている。但し、ｔ１ｏ＜ｔ２ｏ＜ｔ３ｏであり、ｔ１ｉ＜ｔ２ｉ＜ｔ３ｉである。
【００６３】
また、本実施形態では、第１の基準室外温度ｔ１ｏと第１の基準室内温度ｔ１ｉを同一の数値とし、「第１基準温度ｔ１」で示す。同様に、第２の基準室外温度ｔ２ｏと第２の基準室内温度ｔ２ｉを同一の数値として「第２基準温度ｔ２」で示し、第３の基準室外温度ｔ３ｏと第３の基準室内温度ｔ３ｉを同一の数値として「第３基準温度ｔ３」で示すことにする。なお、第１の基準室外温度ｔ１ｏと第１の基準室内温度ｔ１ｉは同一でなくても良い。同様に、第２の基準室外温度ｔ２ｏと第２の基準室内温度ｔ２ｉは同一でなくても良く、第３の基準室外温度ｔ３ｏと第３の基準室内温度ｔ３ｉは同一でなくても良い。
【００６４】
更に、記憶部３１ｃには、室外湿度Ｈｏの基準となる第１の基準室外湿度ｈ１ｏ、第２の基準室外湿度ｈ２ｏ、第３の基準室外湿度ｈ３ｏ、第４の基準室外湿度ｈ４ｏが設定されている。更に、室内湿度Ｈｉの基準となる第１の基準室内湿度ｈ１ｉ、第２の基準室内湿度ｈ２ｉ、第３の基準室内湿度ｈ３ｉ、第４の基準室内湿度ｈ４ｉが設定されている。但し、ｈ１ｏ＜ｈ２ｏ＜ｈ３ｏ＜ｈ４ｏであり、ｈ１ｉ＜ｈ２ｉ＜ｈ３ｉ＜ｈ４ｉである。
【００６５】
また、本実施形態では、第１の基準室外湿度ｈ１ｏと第１の基準室内湿度ｈ１ｉを同一の数値とし、「第１基準湿度ｈ１」で示す。同様に、第２の基準室外湿度ｈ２ｏと第２の基準室内湿度ｈ２ｉを同一の数値として「第２基準湿度ｈ２」で示し、第３の基準室外湿度ｈ３ｏと第３の基準室内湿度ｈ３ｉを同一の数値として「第３基準湿度ｈ３」で示し、第４の基準室外湿度ｈ４ｏと第４の基準室内湿度ｈ４ｉを同一の数値として「第４基準湿度ｈ４」で示すことにする。なお、第１の基準室外湿度ｈ１ｏと第１の基準室内湿度ｈ１ｉは同一でなくても良い。同様に、第２の基準室外湿度ｈ２ｏと第２の基準室内湿度ｈ２ｉは同一でなくても良く、第３の基準室外湿度ｈ３ｏと第３の基準室内湿度ｈ３ｉは同一でなくても良く、第４の基準室外湿度ｈ４ｏと第４の基準室内湿度ｈ４ｉは同一でなくても良い。
そして、主制御部３１は、上記の各基準温度（ｔ１〜ｔ３）、及び各基準湿度（ｈ１〜ｈ４）に基づいて、仮運転モードを設定する。
【００６６】
本実施形態では一例として、ｔ１＝８．０［℃］、ｔ２＝１８．０［℃］、ｔ３＝２７．０［℃］とする。また、ｈ１＝０．００２７［ｋｇ／ｋｇ］、ｈ２＝０．００６６［ｋｇ／ｋｇ］、ｈ３＝０．０１１１［ｋｇ／ｋｇ］、ｈ４＝０．０１８０［ｋｇ／ｋｇ］とする。なお、第１基準温度ｔ１は、後述する実運転モードの判断（図８等）で使用するものであり、図７では使用していない。また、本実施形態では、一例として、各基準温度ｔ１〜ｔ３、各基準湿度ｈ１〜ｈ３を上記のように設定しているものであり、これらの数値に限定されるものではない。
【００６７】
本実施形態では図７に示すように、仮運転モードとして、仮低湿全熱交換モードｐ１（第１の仮全熱交換モード）、仮加湿モードｐ２、仮冷却モードｐ３、仮加温モードｐ４、仮パージモードｐ５、仮除湿モードｐ６、仮高湿全熱交換モードｐ７（第２の仮全熱交換モード）、の７つのうちのいずれかの仮運転モードを設定する。以下詳細に説明する。
【００６８】
図７の縦軸に示す室外湿度Ｈｏが、０．００２７［ｋｇ／ｋｇ］（ｈ１）未満の場合、即ち（Ｈｏ＜０．００２７の場合）には、仮運転モードを、仮低湿全熱交換モードｐ１に設定する。
【００６９】
室外湿度Ｈｏが、０．００２７［ｋｇ／ｋｇ］（ｈ１）以上で、０．００６６［ｋｇ／ｋｇ］（ｈ２）未満で、且つ、図７の横軸に示す室外温度Ｔｏが、２７．０［℃］（ｔ３）未満の場合、即ち（０．００２７≦Ｈｏ＜０．００６６、且つ、Ｔｏ＜２７．０の場合）には、仮運転モードを、仮加湿モードｐ２に設定する。
【００７０】
室外湿度Ｈｏが、０．００２７［ｋｇ／ｋｇ］（ｈ１）以上で、０．０１１１［ｋｇ／ｋｇ］（ｈ３）未満で、且つ室外温度Ｔｏが、２７．０［℃］（ｔ３）以上の場合、即ち（０．００２７≦Ｈｏ＜０．０１１１、且つ、２７．０≦Ｔｏの場合）には、仮運転モードを仮冷却モードｐ３に設定する。
【００７１】
室外湿度Ｈｏが、０．００６６［ｋｇ／ｋｇ］（ｈ２）以上で、０．０１１１［ｋｇ／ｋｇ］（ｈ３）未満で、且つ室外温度Ｔｏが、１８．０［℃］（ｔ２）未満の場合、即ち（０．００６６≦Ｈｏ＜０．０１１１、且つ、Ｔｏ＜１８．０の場合）には、仮運転モードを、仮加温モードｐ４に設定する。
【００７２】
室外湿度Ｈｏが、０．００６６［ｋｇ／ｋｇ］（ｈ２）以上で、０．０１１１［ｋｇ／ｋｇ］（ｈ３）未満で、且つ室外温度Ｔｏが、１８．０［℃］（ｔ２）以上で、２７．０［℃］（ｔ３）未満の場合、即ち、（０．００６６≦Ｈｏ＜０．０１１１、且つ、１８．０≦Ｔｏ＜２７．０の場合）には、仮運転モードを仮パージモードｐ５に設定する。
【００７３】
室外湿度Ｈｏが、０．０１１１［ｋｇ／ｋｇ］（ｈ３）以上で、０．０１８０［ｋｇ／ｋｇ］（ｈ４）未満の場合、即ち（０．０１１１≦Ｈｏ＜０．０１８０の場合）には、仮除湿モードｐ６に設定する。
【００７４】
室外湿度Ｈｏが、０．０１８０［ｋｇ／ｋｇ］（ｈ４）以上の場合、即ち（０．０１８０≦Ｈｏの場合）には、仮高湿全熱交換モードｐ７に設定する。
【００７５】
［実運転モードの設定］
次に、上述した各仮運転モード（ｐ１〜ｐ７）に基づいて、実際に適用する運転モードである実運転モードを設定する処理について説明する。
上述したように、外気処理装置１００では、室外温度センサ２３及び室外湿度センサ２４より、室外空気（ＯＡ）の温度（室外温度Ｔｏ）及び湿度（室外湿度Ｈｏ）を取得し、これらに基づいて仮運転モードを設定した。しかし、仮運転モードをそのまま実運転モードとして外気処理装置１００を運転すると、室内の環境や負荷状態によっては、必ずしも最適な運転モードにならず、快適性や省エネ性に欠ける場合もある。そこで、本実施形態では、室内温度センサ２５、及び室内湿度センサ２６より、室内空気（ＲＡ）の温度（室内温度Ｔｉ）、及び湿度（室内湿度Ｈｉ）を取得し、これらに基づいて、最適な実運転モードを最終的に決定し、決定した実運転モードで外気処理装置１００を運転する。
【００７６】
詳細に説明すると、主制御部３１のセンサ入力部３１ａは、第２空気流路１３に配置された室内温度センサ２５より室内温度Ｔｉを取得し、更に、室内湿度センサ２６より室内湿度Ｈｉを取得し、これらのデータを主制御部３１の記憶部３１ｃに記憶する。更に、室内温度Ｔｉと室内湿度Ｈｉに基づいて、室内の相対湿度Ｈｒを計算し、記憶部３１ｃに記憶する。更に、前述した第１〜第３基準温度ｔ１、ｔ２、ｔ３、第１〜第４基準湿度ｈ１、ｈ２、ｈ３、ｈ４、及び相対湿度Ｈｒを参照し、室内温度Ｔｉと室内湿度Ｈｉに基づいて実運転モードを決定する。
以下、上述したそれぞれの仮運転モードｐ１〜ｐ７において、実運転モードを設定する手順について詳細に説明する。
【００７７】
［仮低湿全熱交換モードｐ１が設定された場合］
図８は、仮運転モードとして仮低湿全熱交換モードｐ１が設定された場合における実運転モードを設定する領域を示す説明図である。室外湿度Ｈｏが低い場合には（図７のｐ１）、基本的には全熱交換モードｑ６で運転して、室内と室外の顕熱と潜熱を交換する。しかし、室内温度Ｔｉが低い場合には加温モードｑ５で運転し、室内の空調機の加温負荷を軽減する。室内湿度Ｈｉが低い場合は、加湿モードｑ３で運転し、室内の湿度を上昇させる。室内温度Ｔｉが高い場合は、パージモードｑ１で運転し、外気を室内に導入して室温を低下させる。
【００７８】
仮低湿全熱交換モードｐ１では、全熱交換モードｑ６とするか、或いは、加湿モードｑ３とするかの判断は、室内湿度Ｈｉと室外湿度Ｈｏの差分値により決定する。即ち、室内湿度Ｈｉよりも室外湿度Ｈｏの方が低い場合が想定され、その場合には全熱交換モードｑ６で運転されるが、室内湿度Ｈｉも低い場合には、加湿モードｑ３で運転される。また、加湿モードｑ３であっても、室内湿度Ｈｉと室外湿度Ｈｏの差分が規定値以上の場合は、冷媒回路９０の効率が低下して加湿能力が低下するので、全熱交換モードｑ６で運転する。
【００７９】
例えば、全熱交換モードｑ６と加湿モードｑ３を切り替える閾値となる湿度ｈｒ１（第１の湿度閾値）を「Ｈｏ−０．００３９」に設定する。このため、室内湿度Ｈｉが室外湿度Ｈｏから「０．００３９」を減じた数値よりも大きくなった場合に、全熱交換モードｑ６が設定されることになる。即ち、室外湿度Ｈｏの大きさに応じて、閾値となる湿度ｈｒ１（第１の湿度閾値）が変更される。
【００８０】
また、加湿モードｑ３が選択されても、室内の湿度が高い場合にはデシカントロータ８内で結露を生じる可能性があるので、相対湿度６０％（６０％ＲＨ）を閾値として加湿モードｑ３と加温モードｑ５を切り替える。
【００８１】
仮低湿全熱交換モードｐ１は、室内温度Ｔｉと室内湿度Ｈｉに基づいて、加温モードｑ５、加湿モードｑ３、全熱交換モードｑ６、パージモードｑ１のうちのいずれかを選択して実施する。まず、室内温度Ｔｉと室内湿度Ｈｉに基づいて、室内の相対湿度Ｈｒを計算する。更に、室外湿度Ｈｏより０．００３９［ｋｇ／ｋｇ］（Δｈ１）だけ低い数値であるｈｒ１値（ｈｒ１＝Ｈｏ−Δｈ１）を計算し、記憶部３１ｃに記憶する。
【００８２】
室内温度Ｔｉが、８［℃］（ｔ１）未満の場合（Ｔｉ＜ｔ１）には、加温モードｑ５を選択する。室内温度Ｔｉが、８［℃］（ｔ１）以上で、２７［℃］（ｔ３）未満の場合（ｔ１≦Ｔｉ＜ｔ３）であって、相対湿度Ｈｒが、６０［％］未満で、且つ室内湿度Ｈｉがｈｒ１未満の場合には、加湿モードｑ３を選択する。室内温度Ｔｉが、８［℃］（ｔ１）以上で、１８［℃］（ｔ２）未満の場合（ｔ１≦Ｔｉ＜ｔ２）であって、相対湿度Ｈｒが６０［％］以上、または、室内湿度Ｈｉがｈｒ１以上の場合（６０％ＲＨ≦Ｈｒまたはｈｒ１≦Ｈｉ）には、加温モードｑ５を選択する。室内温度Ｔｉが、１８［℃］（ｔ２）以上、２７［℃］未満で、且つ室内湿度Ｈｉがｈｒ１以上の場合（ｈｒ１≦Ｈｉ）には、全熱交換モードｑ６を選択する。室内温度Ｔｉが、２７［℃］（ｔ３）以上の場合（Ｔｉ≦ｔ３）には、パージモードｑ１を選択する。
【００８３】
［仮加湿モードｐ２が設定された場合］
図９は、仮運転モードとして仮加湿モードｐ２が設定された場合における実運転モードを設定する領域を示す説明図である。仮加湿モードｐ２が設定された場合には、室外湿度Ｈｏが低いので、基本的には加湿モードｑ３で運転し、室内を加温、加湿する。しかし、室内温度が低い場合は、加温モードｑ５で運転し、室内の空調機の加温負荷を軽減する。室内湿度が高い場合は、全熱交換モードｑ６で運転する。室内温度が高い場合は、パージモードｑ１で運転して、外気を室内に導入し室温を低下させる。
【００８４】
図９に示すように、仮加湿モードｐ２では、室内温度Ｔｉと室内湿度Ｈｉに基づいて、加温モードｑ５、加湿モードｑ３、全熱交換モードｑ６、パージモードｑ１のうちのいずれかを選択して実施する。室内温度Ｔｉが、８［℃］（ｔ１）未満の場合（Ｔｉ＜ｔ１）には、加温モードｑ５を選択する。室内温度Ｔｉが、８［℃］（ｔ１）以上、２７［℃］（ｔ３）未満の場合（ｔ１≦Ｔｉ＜ｔ３）であり、相対湿度Ｈｒが６０［％］未満で、且つ室内湿度Ｈｉが０．００６６［ｋｇ／ｋｇ］未満の場合には、加湿モードｑ３を選択する。
【００８５】
室内温度Ｔｉが８［℃］（ｔ１）以上、２７［℃］（ｔ３）未満の場合（ｔ１≦Ｔｉ＜ｔ３）であり、相対湿度Ｈｒが６０［％］以上、または室内湿度Ｈｉが０．００６６［ｋｇ／ｋｇ］以上のいずれかの場合であって、室内温度Ｔｉが１８［℃］（ｔ２）未満の場合（Ｔｉ＜ｔ２）には、加温モードｑ５を選択し、室内温度Ｔｉが１８［℃］（ｔ２）以上の場合（Ｔｉ≧ｔ２）には、全熱交換モードｑ６を選択する。室内温度Ｔｉが、２７［℃］（ｔ３）以上の場合（Ｔｉ≦ｔ３）には、パージモードｑ１を選択する。
【００８６】
［仮冷却モードｐ３が設定された場合］
図１０は、仮運転モードとして仮冷却モードｐ３が設定された場合における実運転モードを設定する領域を示す説明図である。仮冷却モードｐ３が設定された場合には、室外温度Ｔｏが高いので、基本的には冷却モードｑ４で運転し、室内空調機の負荷を低減する。しかし、室内温度Ｔｉが低い場合は、全熱交換モードｑ６で運転して顕熱を交換する。
【００８７】
仮冷却モードｐ３では、室内温度Ｔｉと室内湿度Ｈｉに基づいて、全熱交換モードｑ６、または冷却モードｑ４のいずれかを選択して実施する。室内湿度Ｈｉが０．０１１１［ｋｇ／ｋｇ］（ｈ３）未満で、且つ室内温度Ｔｉが２７［℃］（ｔ３）未満の場合（Ｈｉ＜ｈ３、Ｔｉ＜ｔ３）には、全熱交換モードｑ６を選択し、それ以外の場合は冷却モードｑ４を選択する。
【００８８】
［仮加温モードｐ４が設定された場合］
図１１は、仮運転モードとして仮加温モードｐ４が設定された場合における実運転モードを設定する領域を示す説明図である。仮加温モードｐ４が設定された場合には、室外温度Ｔｏが低いので、基本的には加温モードｑ５で運転し、室内空調機の負荷を低減する。室内温度が適切な場合は全熱交換モードｑ６で運転し、室内温度が高い場合は、パージモードｑ１で運転して室温を低下させる。
【００８９】
仮加温モードｐ４では、室内の温度に基づいて加温モードｑ５、全熱交換モードｑ６、パージモードｑ１のうちのいずれかを選択して実施する。室内温度Ｔｉが１８［℃］（ｔ２）未満の場合（Ｔｉ＜ｔ２）には加温モードｑ５を選択し、１８［℃］（ｔ２）以上、２７［℃］（ｔ３）未満の場合（ｔ２≦Ｔｉ＜ｔ３）には全熱交換モードｑ６を選択し、２７［℃］（ｔ３）以上の場合（ｔ３≦Ｔｉ）には、パージモードｑ１を選択する。
【００９０】
［仮パージモードｐ５が設定された場合］
図１２は、仮運転モードとして仮パージモードｐ５が設定された場合における実運転モードを設定する領域を示す説明図である。仮パージモードｐ５が設定された場合には、基本的にはパージモードｑ１で運転し、室内温度Ｔｉが高い場合は冷却モードｑ４で運転して室内温度Ｔｉを低減する。
仮パージモードｐ５では、室内の温度に基づいてパージモードｑ１または冷却モードｑ４を選択して実施する。室内温度Ｔｉが、２７［℃］（ｔ３）未満の場合（Ｔｉ＜ｔ３）には、パージモードｑ１を選択し、２７［℃］（ｔ３）以上の場合（ｔ３≦Ｔｉ）には、冷却モードｑ４を選択する。
【００９１】
［仮除湿モードｐ６が設定された場合］
図１３は、仮運転モードとして仮除湿モードｐ６が設定された場合における実運転モードを設定する領域を示す説明図である。仮除湿モードｐ６が設定された場合には、室外湿度Ｈｏが高いので、基本的には除湿モードｑ２で運転し、室内温度Ｔｉが低い場合は全熱交換モードｑ６で運転する。
【００９２】
仮除湿モードｐ６では、室内温度Ｔｉと室内湿度Ｈｉに基づいて、全熱交換モードｑ６または除湿モードｑ２を選択して実施する。室内湿度Ｈｉが、０．０１１１［ｋｇ／ｋｇ］（ｈ３）未満で、且つ室内温度Ｔｉが、２７［℃］（ｔ３）未満の場合（Ｈｉ＜ｈ３、Ｔｉ＜ｔ３）には、全熱交換モードｑ６を選択し、それ以外の場合は除湿モードｑ２を選択する。
【００９３】
［仮高湿全熱交換モードｐ７が設定された場合］
図１４は、仮運転モードとして仮高湿全熱交換モードｐ７が設定された場合における実運転モードを設定する領域を示す説明図である。仮高湿全熱交換モードｐ７が設定された場合には、室内温度Ｔｉが高い場合、または室内湿度Ｈｉが高い場合に除湿モードｑ２を選択する。
【００９４】
仮高湿全熱交換モードｐ７では、室内湿度Ｈｉよりも室外湿度Ｈｏが高い場合が想定される。その場合は、全熱交換モードｑ６で運転されるが、室内湿度Ｈｉが高い場合は除湿モードｑ２で運転される。また、除湿モードｑ２であっても室内と室外の湿度差が規定以上の場合には、冷媒回路９０の効率が低下し除湿能力が低下するので、全熱交換モードｑ６を選択する。
【００９５】
仮高湿全熱交換モードｐ７では、室内温度Ｔｉと室内湿度Ｈｉに基づいて、全熱交換モードｑ６、または除湿モードｑ２を選択して実施する。まず、室外湿度Ｈｏより０．００６９［ｋｇ／ｋｇ］（Δｈ２）だけ低い数値であるｈｒ２（ｈｒ２＝Ｈｏ−Δｈ２）を計算し、記憶部３１ｃに記憶する。
【００９６】
室内湿度Ｈｉがｈｒ２（第２の湿度閾値）未満で、且つ室内温度Ｔｉが、２７［℃］（ｔ２）未満の場合（Ｈｉ＜ｈｒ２、且つ、Ｔｉ＜ｔ２）には、全熱交換モードｑ６選択し、それ以外の場合は除湿モードｑ２を選択する。
【００９７】
こうして、各仮運転モード（ｐ１〜ｐ７）、室内温度Ｔｉ、室内湿度Ｈｉ、及び相対湿度Ｈｒに基づいて、実運転モード（ｑ１〜ｑ６）が設定される。
【００９８】
［本実施形態の作用の説明］
次に、本実施形態に係る外気処理装置の作用を、図１５〜図２２に示すフローチャートを参照して説明する。
図１５は、前述した仮運転モード（図７参照）を設定する処理手順を示すフローチャートであり、図１６〜図２２は、それぞれ上述した、仮低湿全熱交換モードｐ１、仮加湿モードｐ２、仮冷却モードｐ３、仮加温モードｐ４、仮パージモードｐ５、仮除湿モードｐ６、仮高湿全熱交換モードｐ７が選択された際に、実運転モードを設定する処理の手順を示すフローチャートである。
【００９９】
［仮運転モード設定の処理手順］
図１５に示すフローチャート、及び図７を参照して仮運転モードを設定する処理手順について説明する。この処理は、図３に示した主制御部３１により実行される。
【０１００】
初めに、ステップＳ１１において、主制御部３１は、図１に示したＥＡファン９、及びＳＡファン１０を運転する。
【０１０１】
ステップＳ１２において、主制御部３１は、室外温度センサ２３で検出される室外温度Ｔｏ、及び室外湿度センサ２４で検出される室外湿度Ｈｏを取得し、記憶部３１ｃに記憶する。
【０１０２】
ステップＳ１３において、主制御部３１は、室外湿度Ｈｏが第１基準湿度ｈ１（例えば、０．００２７［ｋｇ／ｋｇ］）未満であるか否かを判定する。「Ｈｏ＜ｈ１」である場合には（Ｓ１３；ＹＥＳ）、ステップＳ１４において、主制御部３１は、仮低湿全熱交換モードｐ１を選択する（図７の「仮低湿全熱交換モードｐ１」の領域を参照）。
【０１０３】
「Ｈｏ＜ｈ１」でない場合には（Ｓ１３；ＮＯ）、ステップＳ１５において、主制御部３１は、室外湿度Ｈｏが第２基準湿度ｈ２（例えば、ｈ２＝０．００６６）未満で、且つ、室外温度Ｔｏが第３基準温度ｔ３（例えば、ｔ３＝２７．０）未満であるか否かを判定する。
【０１０４】
「Ｈｏ＜ｈ２、且つ、Ｔｏ＜ｔ３」である場合には（Ｓ１５；ＹＥＳ）、ステップＳ１６において、主制御部３１は、仮加湿モードｐ２を選択する（図７の「仮加湿モードｐ２」の領域を参照）。
【０１０５】
「Ｈｏ＜ｈ２、且つ、Ｔｏ＜ｔ３」でない場合には（Ｓ１５；ＮＯ）、ステップＳ１７において、主制御部３１は、室外湿度Ｈｏが第３基準湿度ｈ３（例えば、ｈ３＝０．０１１１）未満で、且つ、室外温度Ｔｏが第３基準温度ｔ３以上であるか否かを判定する。
【０１０６】
「Ｈｏ＜ｈ３、且つ、ｔ３≦Ｔｏ」である場合には（Ｓ１７；ＹＥＳ）、ステップＳ１８において、主制御部３１は、仮冷却モードｐ３を選択する（図７の「仮冷却モードｐ３」の領域を参照）。
【０１０７】
「Ｈｏ＜ｈ３、且つ、ｔ３≦Ｔｏ」でない場合には（Ｓ１７；ＮＯ）、ステップＳ１９において、主制御部３１は、室外湿度Ｈｏが第３基準湿度ｈ３未満で、且つ、室外温度Ｔｏが第２基準温度ｔ２（例えば、ｔ２＝１８．０）未満であるか否かを判定する。
【０１０８】
「Ｈｏ＜ｈ３、且つ、Ｔｏ＜ｔ２」である場合には（Ｓ１９；ＹＥＳ）、ステップＳ２０において、主制御部３１は、仮加温モードｐ４を選択する（図７の「仮加温モードｐ４」の領域を参照）。
【０１０９】
「Ｈｏ＜ｈ３、且つ、Ｔｏ＜ｔ２」でない場合には（Ｓ１９；ＮＯ）、ステップＳ２１において、主制御部３１は、室外湿度Ｈｏが第３基準湿度ｈ３未満であるか否かを判定する。
【０１１０】
「Ｈｏ＜ｈ３」である場合には（Ｓ２１；ＹＥＳ）、ステップＳ２２において、主制御部３１は、仮パージモードｐ５を選択する（図７の「仮パージモードｐ５」の領域を参照）。
【０１１１】
「Ｈｏ＜ｈ３」でない場合には（Ｓ２１；ＮＯ）、ステップＳ２３において、主制御部３１は、室外湿度Ｈｏが第４基準湿度ｈ４（例えば、ｈ４＝０．０１８０）未満であるか否かを判定する。
【０１１２】
「Ｈｏ＜ｈ４」である場合には（Ｓ２３；ＹＥＳ）、ステップＳ２４において、主制御部３１は、仮除湿モードｐ６を選択する（図７の「仮除湿モードｐ６」の領域を参照）。
【０１１３】
「Ｈｏ＜ｈ４」でない場合には（Ｓ２３；ＮＯ）、ステップＳ２５において、主制御部３１は、仮高湿全熱交換モードｐ７を選択する。
こうして、室外湿度Ｈｏ、及び室外温度Ｔｏに基づいた、仮運転モードが設定されることになる。
【０１１４】
次に、上記の処理で設定された各仮運転モードにおいて、実運転モードを決定する処理について説明する。
【０１１５】
［仮低湿全熱交換モードｐ１選択時の処理手順；図８参照］
図１６は、仮低湿全熱交換モードｐ１が設定されたときに、実運転モードを決定する処理を示すフローチャートである。
初めに、ステップＳ３１において、主制御部３１は、室内温度センサ２５で検出される室内温度Ｔｉ、及び室内湿度センサ２６で検出される室内湿度Ｈｉを取得し、記憶部３１ｃに記憶する。
【０１１６】
ステップＳ３２において、主制御部３１は、室内温度Ｔｉ及び室内湿度Ｈｉ（絶対湿度）から、相対湿度Ｈｒを計算して記憶部３１ｃに記憶する。
【０１１７】
ステップＳ３３において、主制御部３１は、閾値となる湿度ｈｒ１を、室外湿度Ｈｏに基づき「ｈｒ１＝Ｈｏ＋０．００３９」の式で計算して記憶部３１ｃに記憶する。
【０１１８】
ステップＳ３４において、主制御部３１は、室内温度Ｔｉが第１基準温度ｔ１未満（例えば、ｔ１＝８．０）であるか否かを判定する。「Ｔｉ＜ｔ１」である場合には（Ｓ３４；ＹＥＳ）、ステップＳ３５において、主制御部３１は、外気処理装置１００を加温モードｑ５で運転する。
【０１１９】
「Ｔｉ＜ｔ１」でない場合には（Ｓ３４；ＮＯ）、ステップＳ３６において、主制御部３１は、室内温度Ｔｉが第１基準温度ｔ１以上、且つ、第３基準温度ｔ３未満であるか否かを判定する。「ｔ１≦Ｔｉ＜ｔ３」である場合には（Ｓ３６；ＹＥＳ）、ステップＳ３７において、主制御部３１は、相対湿度Ｈｒが６０［％］未満であり、且つ、室内湿度Ｈｉが閾値となる湿度ｈｒ１未満であるか否かを判定する。
【０１２０】
「Ｈｒ＜６０％、且つ、Ｈｉ＜ｈｒ１」である場合には（Ｓ３７；ＹＥＳ）、ステップＳ３８において、主制御部３１は、外気処理装置１００を加湿モードｑ３で運転する。
【０１２１】
「Ｈｒ＜６０％、且つ、Ｈｉ＜ｈｒ１」でない場合には（Ｓ３７；ＮＯ）、ステップＳ３９において、主制御部３１は、室内温度Ｔｉが第２基準温度ｔ２未満（例えば、ｔ２は１８℃）であるか否かを判定する。「Ｔｉ＜ｔ２」である場合には（Ｓ３９；ＹＥＳ）、ステップＳ４０において、主制御部３１は、外気処理装置１００を加温モードｑ５で運転する。
【０１２２】
「Ｔｉ＜ｔ２」でない場合には（Ｓ３９；ＮＯ）、ステップＳ４１において、主制御部３１は、外気処理装置１００を全熱交換モードｑ６で運転する。
【０１２３】
一方、ステップＳ３６の処理で、「ｔ１≦Ｔｉ＜ｔ３」でない場合には（Ｓ３６；ＮＯ）、ステップＳ４２において、主制御部３１は、外気処理装置１００をパージモードｑ１で運転する。こうして、仮低湿全熱交換モードｐ１が設定された際の実運転モードの設定が行われ、外気処理装置１００の運転が制御される。
【０１２４】
［仮加湿モードｐ２選択時の処理手順；図９参照］
図１７は、仮加湿モードｐ２が設定されたときに、実運転モードを決定する処理を示すフローチャートである。
初めに、ステップＳ５１において、主制御部３１は、室内温度センサ２５で検出される室内温度Ｔｉ、及び室内湿度センサ２６で検出される室内湿度Ｈｉを取得し、記憶部３１ｃに記憶する。
【０１２５】
ステップＳ５２において、主制御部３１は、室内温度Ｔｉ及び室内湿度Ｈｉ（絶対湿度）から、相対湿度Ｈｒを計算して記憶部３１ｃに記憶する。
【０１２６】
ステップＳ５３において、主制御部３１は、室内温度Ｔｉが第１基準温度ｔ１未満（例えば、ｔ１＝８．０）であるか否かを判定する。「Ｔｉ＜ｔ１」である場合には（Ｓ５３；ＹＥＳ）、ステップＳ５４において、主制御部３１は、外気処理装置１００を加温モードｑ５で運転する。
【０１２７】
「Ｔｉ＜ｔ１」でない場合には（Ｓ５３；ＮＯ）、ステップＳ５５において、主制御部３１は、室内温度Ｔｉが基準温度ｔ１以上、且つ、基準温度ｔ３未満であるか否かを判定する。「ｔ１≦Ｔｉ＜ｔ３」である場合には（Ｓ５５；ＹＥＳ）、ステップＳ５６において、主制御部３１は、相対湿度Ｈｒが６０％未満であり、且つ、室内湿度Ｈｉが第２基準湿度ｈ２未満（例えば、ｈ２＝０．００６６）であるか否かを判定する。
【０１２８】
「Ｈｒ＜６０％、且つ、Ｈｉ＜ｈ２」である場合には（Ｓ５６；ＹＥＳ）、ステップＳ５７において、主制御部３１は、外気処理装置１００を加湿モードｑ３で運転する。
【０１２９】
「Ｈｒ＜６０％、且つ、Ｈｉ＜ｈ２」でない場合には（Ｓ５６；ＮＯ）、ステップＳ５８において、主制御部３１は、室内温度Ｔｉが第２基準温度ｔ２未満（例えば、ｔ２＝１８．０）であるか否かを判定する。「Ｔｉ＜ｔ２」である場合には（Ｓ５８；ＹＥＳ）、ステップＳ５９において、主制御部３１は、外気処理装置１００を加温モードｑ５で運転する。
【０１３０】
「Ｔｉ＜ｔ２」でない場合には（Ｓ５８；ＮＯ）、ステップＳ６０において、主制御部３１は、外気処理装置１００を全熱交換モードｑ６で運転する。
【０１３１】
一方、ステップＳ５５の処理で、「ｔ１≦Ｔｉ＜ｔ３」でない場合には（Ｓ５５；ＮＯ）、ステップＳ６１において、主制御部３１は、外気処理装置１００をパージモードｑ１で運転する。こうして、仮加湿モードｐ２が設定された際の実運転モードの設定が行われ、外気処理装置１００の運転が制御される。
【０１３２】
［仮冷却モードｐ３選択時の処理手順；図１０参照］
図１８は、仮冷却モードｐ３が設定されたときに、実運転モードを決定する処理を示すフローチャートである。
初めに、ステップＳ７１において、主制御部３１は、室内温度センサ２５で検出される室内温度Ｔｉ、及び室内湿度センサ２６で検出される室内湿度Ｈｉを取得し、記憶部３１ｃに記憶する。
【０１３３】
ステップＳ７２において、主制御部３１は、室内温度Ｔｉが第３基準温度ｔ３未満、且つ、室内湿度Ｈｉが第３基準湿度ｈ３未満であるか否かを判定する。「Ｔｉ＜ｔ３、Ｈｉ＜ｈ３」である場合には（Ｓ７２；ＹＥＳ）、ステップＳ７３において、主制御部３１は、外気処理装置１００を全熱交換モードｑ６で運転する。
【０１３４】
「Ｔｉ＜ｔ３、且つ、Ｈｉ＜ｈ３」でない場合には（Ｓ７２；ＮＯ）、ステップＳ７４において、主制御部３１は、外気処理装置１００を冷却モードｑ４で運転する。こうして、仮冷却モードｐ３が設定された際の実運転モードの設定が行われ、外気処理装置１００の運転が制御される。
【０１３５】
［仮加温モードｐ４選択時の処理手順；図１１参照］
図１９は、仮加温モードｐ４が設定されたときに、実運転モードを決定する処理を示すフローチャートである。
初めに、ステップＳ８１において、主制御部３１は、室内温度センサ２５で検出される室内温度Ｔｉを取得し、記憶部３１ｃに記憶する。
【０１３６】
ステップＳ８２において、主制御部３１は、室内温度Ｔｉが第２基準温度ｔ２未満（例えば、ｔ２＝１８．０）であるか否かを判定する。「Ｔｉ＜ｔ２」である場合には（Ｓ８２；ＹＥＳ）、ステップＳ８３において、主制御部３１は、外気処理装置１００を加温モードｑ５で運転する。
【０１３７】
「Ｔｉ＜ｔ２」でない場合には（Ｓ８２；ＮＯ）、ステップＳ８４において、主制御部３１は、室内温度Ｔｉが第２基準温度ｔ２以上、且つ、第３基準温度ｔ３未満であるか否かを判定する。「ｔ２≦Ｔｉ＜ｔ３」である場合には（Ｓ８４；ＹＥＳ）、ステップＳ８５において、主制御部３１は、外気処理装置１００を全熱交換モードｑ６で運転する。
【０１３８】
「ｔ２≦Ｔｉ＜ｔ３」でない場合には（Ｓ８４；ＮＯ）、ステップＳ８６において、主制御部３１は、外気処理装置１００をパージモードｑ１で運転する。こうして、仮加温モードｐ４が設定された際の実運転モードの設定が行われ、外気処理装置１００の運転が制御される。
【０１３９】
［仮パージモードｐ５選択時の処理手順；図１２参照］
図２０は、仮パージモードｐ５が設定されたときに、実運転モードを決定する処理を示すフローチャートである。
初めに、ステップＳ９１において、主制御部３１は、室内温度センサ２５で検出される室内温度Ｔｉを取得し、記憶部３１ｃに記憶する。
【０１４０】
ステップＳ９２において、主制御部３１は、室内温度Ｔｉが第３基準温度ｔ３未満であるか否かを判定する。「Ｔｉ＜ｔ３」である場合には（Ｓ９２；ＹＥＳ）、ステップＳ９３において、主制御部３１は、外気処理装置１００をパージモードｑ１で運転する。
【０１４１】
「Ｔｉ＜ｔ３」でない場合には（Ｓ９２；ＮＯ）、ステップＳ９４において、主制御部３１は、外気処理装置１００を冷却モードｑ４で運転する。こうして、仮パージモードｐ５が設定された際の実運転モードの設定が行われ、外気処理装置１００の運転が制御される。
【０１４２】
［仮除湿モードｐ６選択時の処理手順；図１３参照］
図２１は、仮除湿モードｐ６が設定されたときに、実運転モードを決定する処理を示すフローチャートである。
初めに、ステップＳ１０１において、主制御部３１は、室内温度センサ２５で検出される室内温度Ｔｉ、及び室内湿度センサ２６で検出される室内湿度Ｈｉを取得し、記憶部３１ｃに記憶する。
【０１４３】
ステップＳ１０２において、主制御部３１は、室内温度Ｔｉが第３基準温度ｔ３未満であり、且つ、室内湿度Ｈｉが第３基準湿度ｈ３未満であるか否かを判定する。「Ｔｉ＜ｔ３、且つ、Ｈｉ＜ｈ３」である場合には（Ｓ１０２；ＹＥＳ）、ステップＳ１０３において、主制御部３１は、外気処理装置１００を全熱交換モードｑ６で運転する。
【０１４４】
「Ｔｉ＜ｔ３、且つ、Ｈｉ＜ｈ３」でない場合には（Ｓ１０２；ＮＯ）、ステップＳ１０４において、主制御部３１は、外気処理装置１００を除湿モードｑ２で運転する。こうして、仮除湿モードｐ６が設定された際の実運転モードの設定が行われ、外気処理装置１００の運転が制御される。
【０１４５】
［仮高湿全熱交換モードｐ７選択時の処理手順；図１４参照］
図２２は、仮高湿全熱交換モードｐ７が設定されたときに、実運転モードを決定する処理を示すフローチャートである。
初めに、ステップＳ１１１において、主制御部３１は、室内温度センサ２５で検出される室内温度Ｔｉ、及び室内湿度センサ２６で検出される室内湿度Ｈｉを取得し、記憶部３１ｃに記憶する。
【０１４６】
ステップＳ１１２において、主制御部３１は、室外温度Ｈｏから０．００６９を減じた湿度閾値ｈｒ２（第２の湿度閾値）を計算し、記憶部３１ｃに記憶する。
【０１４７】
ステップＳ１１３において、主制御部３１は、室内温度Ｔｉが第３基準温度ｔ３未満であり、且つ室内湿度Ｈｉが湿度ｈｒ２未満であるか否かを判定する。「Ｔｉ＜ｔ３、且つ、Ｈｉ＜ｈｒ２」である場合には（Ｓ１１３；ＹＥＳ）、ステップＳ１１４において、主制御部３１は、外気処理装置１００を全熱交換モードｑ６で運転する。
【０１４８】
「Ｔｉ＜ｔ３、且つ、Ｈｉ＜ｈｒ２」でない場合には（Ｓ１１３；ＮＯ）、ステップＳ１１５において、主制御部３１は、外気処理装置１００を除湿モードｑ２で運転する。こうして、仮高湿全熱交換モードｐ７が設定された際の実運転モードの設定が行われ、外気処理装置１００の運転が制御される。
【０１４９】
［本実施形態の効果の説明］
このようにして、本実施形態に係る外気処理装置１００では、以下に示す効果が得られる。
（１）
本実施形態では、仮運転モードとして仮低湿全熱交換モードｐ１（第１の仮全熱交換モード）、仮加湿モードｐ２、仮冷却モードｐ３、仮加温モードｐ４、仮パージモードｐ５、仮除湿モードｐ６、仮高湿全熱交換モードｐ７（第２の仮全熱交換モード）、の７つの仮運転モードを設定している。そして、室外温度Ｔｏ、及び室外湿度Ｈｏに基づいて、上記の各仮運転モード（ｐ１〜ｐ７）のうちのいずれかを選択する。そして、仮運転モードでそのまま外気処理装置１００を運転するのではなく、更に、室内温度Ｔｉ、室内湿度Ｈｉ、室内の相対湿度Ｈｒに基づいて、実運転モードを設定する。従って、室内の環境に応じた適切な実運転モードで外気処理装置１００を運転することが可能となり、快適性が損なわれることがなく、且つ、エネルギーの消費を低減することが可能となる。
【０１５０】
（２）
図８に示したように、仮低湿全熱交換モードｐ１が選択された場合には、パージモードｑ１で運転すると、外気がそのまま導入されるため、室内温度Ｔｉは低下する。即ち、室内温度Ｔｉは、図８のｑ１の領域から左側へ移行する。また、加湿モードｑ３で運転すると、室内湿度Ｈｉは上昇する。即ち、室内湿度Ｈｉは、図８のｑ３の領域から上側へ移行する。加温モードｑ５で運転すると、室内温度Ｔｉは上昇する。即ち、室内温度Ｔｉは、図８のｑ５の領域から右側へ移行する。
【０１５１】
従って、時間の経過と共に、室内温度Ｔｉ及び室内湿度Ｈｉは、全熱交換モードｑ６の領域に移行することになる。全熱交換モードｑ６では、図６に示したように、デシカントロータ８を駆動するモータ２０を回転させるものの、冷媒回路９０は停止するので、快適性を損なうことなくエネルギー消費を低減することが可能となる。
【０１５２】
また、図９に示す仮加湿モードｐ２についても、図８と同様に、時間の経過と共に、全熱交換モードｑ６に移行することになり、快適性を損なうことなくエネルギー消費を低減することが可能となる。
【０１５３】
（３）
図１０に示したように、仮冷却モードｐ３が選択された場合には、冷却モードｑ４で運転すると、室外空気が冷却されてから室内に導入されるので、室内温度Ｔｉは低下する。即ち、室内温度Ｔｉは、図１０のｑ４の領域から左側へ移行する。このため、時間の経過と共に、室内温度Ｔｉ及び室内湿度Ｈｉは、全熱交換モードｑ６に移行することになる。従って、快適性を損なうことなくエネルギー消費を低減することが可能となる。
【０１５４】
（４）
図１１に示したように、仮加温モードｐ４が選択された場合には、パージモードｑ１で運転すると、低温の室外空気が室内に導入されるので、室内温度Ｔｉは低下する。即ち、室内温度Ｔｉは、図１１のｑ１の領域から左側へ移行する。また、加温モードｑ５で運転すると、室外空気が加温されて室内に導入されるので、室内温度Ｔｉは上昇する。即ち、室内温度Ｔｉは、図１１のｑ５の領域から右側へ移行する。このため、時間の経過と共に、室内温度Ｔｉは、全熱交換モードｑ６の領域に移行することになる。従って、快適性を損なうことなくエネルギー消費を低減することが可能となる。
【０１５５】
（５）
図１２に示したように、仮パージモードｐ５が選択された場合には、冷却モードｑ４で運転すると、室外空気が冷却されてから室内に導入されるので、室内温度Ｔｉは低下する。即ち、室内温度Ｔｉは、図１２のｑ４の領域から左側へ移行する。このため、時間の経過と共に、室内温度Ｔｉは、パージモードｑ１の領域に移行することになる。図６に示したように、パージモードｑ１は、冷媒回路９０及びデシカントロータ８を駆動するモータ２０を停止し、ＥＡファン９、及びＳＡファン１０のみが運転されるので、快適性を損なうことなくエネルギー消費を低減することが可能となる。
【０１５６】
（６）
図１３に示したように、仮除湿モードｐ６が選択された場合には、除湿モードｑ２で運転すると、室外空気が除湿されて室内に導入されるので、室内温度Ｔｉは低下する。即ち、室内温度Ｔｉは、図１３のｑ２の領域から左側へ移行する。このため、時間の経過と共に、室内温度Ｔｉ、室内湿度Ｈｉは、全熱交換モードｑ６の領域に移行することになる。従って、快適性を損なうことなくエネルギー消費を低減することが可能となる。
【０１５７】
また、図１４に示す仮高湿全熱交換モードｐ７についても、図１３と同様に、時間の経過と共に、全熱交換モードｑ６に移行することになり、快適性を損なうことなくエネルギー消費を低減することが可能となる。
【０１５８】
（７）
上述した（２）〜（６）の内容を纏めると、室外温度Ｔｏ、室外湿度Ｈｏ、室内温度Ｔｉ、室内湿度Ｈｉにより、適切な運転モードを選択して外気処理装置１００を運転することができる。その結果、室内の負荷に対して外気処理装置１００、及び室内の空調機の能力が適切である場合には、室内の環境は目標の温度、湿度に近づいて行く。すると、外気処理装置１００は全熱交換モードｑ６、或いはパージモードｑ１に移行するので、快適性を損なうことなくエネルギー消費を低減することが可能となる。
【０１５９】
以上、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【０１６０】
１  圧縮機
２  アキュムレータ
３  四方弁
４  第３熱交換器
５  第１熱交換器
６  第４熱交換器
７  第２熱交換器
８  デシカントロータ
９  ＥＡファン
１０  ＳＡファン
１２  第１空気流路
１３  第２空気流路
１８  第１膨張弁
１９  第２膨張弁
２０  モータ
２３  室外温度センサ
２４  室外湿度センサ
２５  室内温度センサ
２６  室内湿度センサ
３１  主制御部
３１ａ  センサ入力部
３１ｂ  操作部
３１ｃ  記憶部
９０  冷媒回路
１００  外気処理装置
ＥＡ  排出空気
ＯＡ  室外空気
ＲＡ  室内空気
ＳＡ  供給空気
ｈ１ｉ  第１の基準室内湿度
ｈ１ｏ  第１の基準室外湿度
ｈ２ｉ  第２の基準室内湿度
ｈ２ｏ  第２の基準室外湿度
ｈ３ｉ  第３の基準室内湿度
ｈ３ｏ  第３の基準室外湿度
ｈ４ｉ  第４の基準室内湿度
ｈ４ｏ  第４の基準室外湿度
ｔ１ｉ  第１の基準室内温度
ｔ１ｏ  第１の基準室外温度
ｔ２ｉ  第２の基準室内温度
ｔ２ｏ  第２の基準室外温度
ｔ３ｉ  第３の基準室内温度
ｔ３ｏ  第３の基準室外温度
Ｈｒ  相対湿度
ｈｒ１  第１の湿度閾値
ｈｒ２  第２の湿度閾値
ｐ１  仮低湿全熱交換モード（第１の仮全熱交換モード）
ｐ２  仮加湿モード
ｐ３  仮冷却モード
ｐ４  仮加温モード
ｐ５  仮パージモード
ｐ６  仮除湿モード
ｐ７  仮高湿全熱交換モード（第２の仮全熱交換モード）
ｑ１  パージモード
ｑ２  除湿モード
ｑ３  加湿モード
ｑ４  冷却モード
ｑ５  加温モード
ｑ６  全熱交換モード
【図１】
2020115047.tif 000003
【図２】
2020115047.tif 000004
【図３】
2020115047.tif 000005
【図４】
2020115047.tif 000006
【図５】
2020115047.tif 000007
【図６】
2020115047.tif 000008
【図７】
2020115047.tif 000009
【図８】
2020115047.tif 000010
【図９】
2020115047.tif 000011
【図１０】
2020115047.tif 000012
【図１１】
2020115047.tif 000013
【図１２】
2020115047.tif 000014
【図１３】
2020115047.tif 000015
【図１４】
2020115047.tif 000016
【図１５】
2020115047.tif 000017
【図１６】
2020115047.tif 000018
【図１７】
2020115047.tif 000019
【図１８】
2020115047.tif 000020
【図１９】
2020115047.tif 000021
【図２０】
2020115047.tif 000022
【図２１】
2020115047.tif 000023
【図２２】
2020115047.tif 000024